(57)【要約】【課題】簡単な構成でより安定したシステム運用を実現する。【解決手段】電力線通信システムにおいて、親装置および子装置には、共通の初期認証情報が登録されており、前記子装置は、前記初期認証情報を含む接続要求を前記親装置へ送信し、前記親装置は、登録された前記初期認証情報、および前記子装置から受信した前記接続要求に含まれる前記初期認証情報を用いて前記子装置の仮の認証処理を行い、前記親装置は、前記仮の認証処理に成功した場合、ユーザの操作を受け付けて本認証情報を作成し、前記本認証情報を前記子装置へ送信するとともに保持し、前記子装置は、前記親装置から受信した前記本認証情報を保持し、前記本認証情報を含む接続要求を前記親装置へ送信し、前記親装置は、保持した前記本認証情報、および前記子装置から受信した前記接続要求に含まれる前記本認証情報を用いて前記子装置の認証処理を行う。【選択図】図９
2020047108.tif 000002
【特許請求の範囲】
【請求項１】
子装置と、
前記子装置と電力線を介して通信可能な親装置とを備え、
前記親装置および前記子装置には、共通の初期認証情報が登録されており、
前記子装置は、前記初期認証情報を含む接続要求を前記親装置へ送信し、
前記親装置は、登録された前記初期認証情報、および前記子装置から受信した前記接続要求に含まれる前記初期認証情報を用いて前記子装置の仮の認証処理を行い、
前記親装置は、前記仮の認証処理に成功した場合、ユーザの操作を受け付けて本認証情報を作成し、作成した前記本認証情報を前記子装置へ送信するとともに保持し、
前記子装置は、前記親装置から受信した前記本認証情報を保持し、前記本認証情報を含む接続要求を前記親装置へ送信し、
前記親装置は、保持した前記本認証情報、および前記子装置から受信した前記接続要求に含まれる前記本認証情報を用いて前記子装置の認証処理を行う、電力線通信システム。
【請求項２】
前記親装置は、前記操作を促す画面を表示する処理を行う、請求項１に記載の電力線通信システム。
【請求項３】
１または複数の子装置と電力線を介して通信可能な親装置であって、
前記子装置と前記電力線を介して通信する電力線通信部と、
前記子装置が記憶する初期認証情報と同じ初期認証情報を記憶する記憶部と、
処理部とを備え、
前記処理部は、前記子装置から前記初期認証情報を含む接続要求を前記電力線通信部を介して受信し、前記記憶部における前記初期認証情報、および受信した前記接続要求に含まれる前記初期認証情報を用いて前記子装置の仮の認証処理を行い、
前記処理部は、前記仮の認証処理に成功した場合、ユーザの操作を受け付けて本認証情報を作成し、作成した前記本認証情報を前記電力線通信部を介して前記子装置へ送信するとともに前記記憶部に保存し、
前記処理部は、前記子装置から前記本認証情報を含む接続要求を前記電力線通信部を介して受信し、前記記憶部における前記本認証情報、および前記子装置から受信した接続要求に含まれる前記本認証情報を用いて前記子装置の認証処理を行う、親装置。
【請求項４】
親装置と電力線を介して通信可能な子装置であって、
前記親装置と前記電力線を介して通信する電力線通信部と、
前記親装置が記憶する初期認証情報と同じ初期認証情報を記憶する記憶部と、
処理部とを備え、
前記処理部は、前記初期認証情報を含む接続要求を前記電力線通信部を介して前記親装置へ送信し、
前記処理部は、前記電力線通信部を介して前記親装置から本認証情報を受信して前記記憶部に保存し、前記本認証情報を含む接続要求を前記電力線通信部を介して前記親装置へ送信する、子装置。
【請求項５】
子装置と、前記子装置と電力線を介して通信可能な親装置とを備える電力線通信システムにおける認証方法であって、
前記親装置および前記子装置には、共通の初期認証情報が登録されており、
前記子装置が、前記初期認証情報を含む接続要求を前記親装置へ送信するステップと、
前記親装置が、登録された前記初期認証情報、および前記子装置から受信した前記接続要求に含まれる前記初期認証情報を用いて前記子装置の仮の認証処理を行うステップと、
前記親装置が、前記仮の認証処理に成功した場合、ユーザの操作を受け付けて本認証情報を作成するステップと、
前記親装置が、作成した前記本認証情報を前記子装置へ送信するとともに保持するステップと、
前記子装置が、前記親装置から受信した前記本認証情報を保持するステップと、
前記子装置が、前記本認証情報を含む接続要求を前記親装置へ送信するステップと、
前記親装置が、保持した前記本認証情報、および前記子装置から受信した前記接続要求に含まれる前記本認証情報を用いて前記子装置の認証処理を行うステップとを含む、認証方法。
【請求項６】
１または複数の子装置と電力線を介して通信可能な親装置における認証方法であって、
前記親装置は、前記子装置が記憶する初期認証情報と同じ初期認証情報を記憶し、
前記子装置から前記初期認証情報を含む接続要求を受信するステップと、
記憶する前記初期認証情報、および受信した前記接続要求に含まれる前記初期認証情報を用いて前記子装置の仮の認証処理を行うステップと、
前記仮の認証処理に成功した場合、ユーザの操作を受け付けて本認証情報を作成するステップと、
作成した前記本認証情報を前記子装置へ送信するとともに保存するステップと、
前記子装置から前記本認証情報を含む接続要求を受信するステップと、
保存した前記本認証情報、および前記子装置から受信した接続要求に含まれる前記本認証情報を用いて前記子装置の認証処理を行うステップとを含む、認証方法。
【請求項７】
親装置と電力線を介して通信可能な子装置における認証方法であって、
前記子装置は、前記親装置が記憶する初期認証情報と同じ初期認証情報を記憶し、
前記初期認証情報を含む接続要求を前記親装置へ送信するステップと、
前記親装置から本認証情報を受信して保存するステップと、
前記本認証情報を含む接続要求を前記親装置へ送信するステップとを含む、認証方法。
【発明の詳細な説明】
【技術分野】
【０００１】
本発明は、電力線通信システム、親装置、子装置および認証方法に関する。
【背景技術】
【０００２】
近年、節電等の目的から家庭および職場における消費電力量を測定し、電力会社等のサーバへ送信する電力情報通信システムが開発されている。たとえば、特開２０１８−０６４１３６号公報（特許文献１）には、以下のような技術が開示されている。
【０００３】
すなわち、電力情報収集システムは、１または複数の電力計測装置と、前記電力計測装置と電力線通信を行うことにより前記電力計測装置から電力情報を取得する端末装置とを備え、前記端末装置は、前記電力計測装置と通信接続するための接続要求を電力線経由でブロードキャストし、前記接続要求に対する１または複数の接続応答を受信した場合、前記接続応答の送信元の前記電力計測装置と認証処理を行い、前記認証処理が成功しなかった場合に他の前記送信元の前記電力計測装置との認証処理を行い、前記端末装置は、前記認証処理を行う候補を、前記送信元の各前記電力計測装置の一部に限定する。
【先行技術文献】
【特許文献】
【０００４】
【特許文献１】特開２０１８−０６４１３６号公報
【非特許文献】
【０００５】
【非特許文献１】Ｇ３−ＰＬＣ（登録商標）  Ａｌｌｉａｎｃｅ、”Ｎａｒｒｏｗｂａｎｄ  ＯＦＤＭ  ＰＬＣ  ｓｐｅｃｉｆｉｃａｔｉｏｎｓ  ｆｏｒ  Ｇ３−ＰＬＣ  ｎｅｔｗｏｒｋｓ”、Ｇ３−ＰＬＣ  Ａｌｌｉａｎｃｅ、２０１４年１０月
【発明の概要】
【発明が解決しようとする課題】
【０００６】
このような電力情報通信システムにおいて、セキュリティ性が高く、かつ簡単な認証処理を実現することが望まれる。
【０００７】
この発明は、上述の課題を解決するためになされたもので、その目的は、簡単な構成でより安定したシステム運用を実現することが可能な電力線通信システム、親装置、子装置および認証方法を提供することである。
【課題を解決するための手段】
【０００８】
（１）上記課題を解決するために、この発明のある局面に係わる電力線通信システムは、子装置と、前記子装置と電力線を介して通信可能な親装置とを備え、前記親装置および前記子装置には、共通の初期認証情報が登録されており、前記子装置は、前記初期認証情報を含む接続要求を前記親装置へ送信し、前記親装置は、登録された前記初期認証情報、および前記子装置から受信した前記接続要求に含まれる前記初期認証情報を用いて前記子装置の仮の認証処理を行い、前記親装置は、前記仮の認証処理に成功した場合、ユーザの操作を受け付けて本認証情報を作成し、作成した前記本認証情報を前記子装置へ送信するとともに保持し、前記子装置は、前記親装置から受信した前記本認証情報を保持し、前記本認証情報を含む接続要求を前記親装置へ送信し、前記親装置は、保持した前記本認証情報、および前記子装置から受信した前記接続要求に含まれる前記本認証情報を用いて前記子装置の認証処理を行う。
【０００９】
（３）上記課題を解決するために、この発明のある局面に係わる親装置は、１または複数の子装置と電力線を介して通信可能な親装置であって、前記子装置と前記電力線を介して通信する電力線通信部と、前記子装置が記憶する初期認証情報と同じ初期認証情報を記憶する記憶部と、処理部とを備え、前記処理部は、前記子装置から前記初期認証情報を含む接続要求を前記電力線通信部を介して受信し、前記記憶部における前記初期認証情報、および受信した前記接続要求に含まれる前記初期認証情報を用いて前記子装置の仮の認証処理を行い、前記処理部は、前記仮の認証処理に成功した場合、ユーザの操作を受け付けて本認証情報を作成し、作成した前記本認証情報を前記電力線通信部を介して前記子装置へ送信するとともに前記記憶部に保存し、前記処理部は、前記子装置から前記本認証情報を含む接続要求を前記電力線通信部を介して受信し、前記記憶部における前記本認証情報、および前記子装置から受信した接続要求に含まれる前記本認証情報を用いて前記子装置の認証処理を行う。
【００１０】
（４）上記課題を解決するために、この発明のある局面に係わる子装置は、親装置と電力線を介して通信可能な子装置であって、前記親装置と前記電力線を介して通信する電力線通信部と、前記親装置が記憶する初期認証情報と同じ初期認証情報を記憶する記憶部と、処理部とを備え、前記処理部は、前記初期認証情報を含む接続要求を前記電力線通信部を介して前記親装置へ送信し、前記処理部は、前記電力線通信部を介して前記親装置から本認証情報を受信して前記記憶部に保存し、前記本認証情報を含む接続要求を前記電力線通信部を介して前記親装置へ送信する。
【００１１】
（５）上記課題を解決するために、この発明のある局面に係わる認証方法は、子装置と、前記子装置と電力線を介して通信可能な親装置とを備える電力線通信システムにおける認証方法であって、前記親装置および前記子装置には、共通の初期認証情報が登録されており、前記子装置が、前記初期認証情報を含む接続要求を前記親装置へ送信するステップと、前記親装置が、登録された前記初期認証情報、および前記子装置から受信した前記接続要求に含まれる前記初期認証情報を用いて前記子装置の仮の認証処理を行うステップと、前記親装置が、前記仮の認証処理に成功した場合、ユーザの操作を受け付けて本認証情報を作成するステップと、前記親装置が、作成した前記本認証情報を前記子装置へ送信するとともに保持するステップと、前記子装置が、前記親装置から受信した前記本認証情報を保持するステップと、前記子装置が、前記本認証情報を含む接続要求を前記親装置へ送信するステップと、前記親装置が、保持した前記本認証情報、および前記子装置から受信した前記接続要求に含まれる前記本認証情報を用いて前記子装置の認証処理を行うステップとを含む。
【００１２】
（６）上記課題を解決するために、この発明のある局面に係わる認証方法は、１または複数の子装置と電力線を介して通信可能な親装置における認証方法であって、前記親装置は、前記子装置が記憶する初期認証情報と同じ初期認証情報を記憶し、前記子装置から前記初期認証情報を含む接続要求を受信するステップと、記憶する前記初期認証情報、および受信した前記接続要求に含まれる前記初期認証情報を用いて前記子装置の仮の認証処理を行うステップと、前記仮の認証処理に成功した場合、ユーザの操作を受け付けて本認証情報を作成するステップと、作成した前記本認証情報を前記子装置へ送信するとともに保存するステップと、前記子装置から前記本認証情報を含む接続要求を受信するステップと、保存した前記本認証情報、および前記子装置から受信した接続要求に含まれる前記本認証情報を用いて前記子装置の認証処理を行うステップとを含む。
【００１３】
（７）上記課題を解決するために、この発明のある局面に係わる認証方法は、親装置と電力線を介して通信可能な子装置における認証方法であって、前記子装置は、前記親装置が記憶する初期認証情報と同じ初期認証情報を記憶し、前記初期認証情報を含む接続要求を前記親装置へ送信するステップと、前記親装置から本認証情報を受信して保存するステップと、前記本認証情報を含む接続要求を前記親装置へ送信するステップとを含む。
【００１４】
本発明は、このような特徴的な処理部を備える電力線通信システムとして実現することができるだけでなく、電力線通信システムの一部または全部を実現する半導体集積回路として実現することができる。
【００１５】
本発明は、このような特徴的な処理部を備える親装置として実現することができるだけでなく、かかる特徴的な処理のステップをコンピュータに実行させるためのプログラムとして実現することができる。また、本発明は、親装置の一部または全部を実現する半導体集積回路として実現することができる。
【００１６】
本発明は、このような特徴的な処理部を備える子装置として実現することができるだけでなく、かかる特徴的な処理のステップをコンピュータに実行させるためのプログラムとして実現することができる。また、本発明は、子装置の一部または全部を実現する半導体集積回路として実現することができる。
【発明の効果】
【００１７】
本発明によれば、簡単な構成でより安定したシステム運用を実現することことができる。
【図面の簡単な説明】
【００１８】
【図１】図１は、本発明の実施の形態に係る電力線通信システムの構成を示す図である。
【図２】図２は、本発明の実施の形態に係る電力線通信システムにおける各機器および配線状態の一例を示す図である。
【図３】図３は、本発明の実施の形態に係る電力線通信システムにおけるネットワークトポロジの一例を示す図である。
【図４】図４は、本発明の実施の形態に係る電力線通信システムにおける親装置の構成を示す図である。
【図５】図５は、本発明の実施の形態に係る電力線通信システムにおける子装置の構成を示す図である。
【図６】図６は、本発明の実施の形態に係る電力線通信システムにおいて表示される、ユーザの操作を促す画面の一例を示す図である。
【図７】図７は、本発明の実施の形態に係る電力線通信システムにおいて表示される、ユーザの操作を促す画面の他の例を示す図である。
【図８】図８は、本発明の実施の形態に係る電力線通信システムにおける親装置が保持する本認証情報テーブルの一例を示す図である。
【図９】図９は、本発明の実施の形態に係る電力線通信システムにおける認証処理１および認証処理２のシーケンスを示す図である。
【図１０】図１０は、本発明の実施の形態に係る電力線通信システムにおける親装置が認証処理１および認証処理２を行う際の動作手順を定めたフローチャートである。
【図１１】図１１は、本発明の実施の形態に係る電力線通信システムの認証処理１および認証処理２における、子装置の動作手順を定めたフローチャートである。
【発明を実施するための形態】
【００１９】
最初に、本発明の実施形態の内容を列記して説明する。
【００２０】
（１）本発明の実施の形態に係る電力線通信システムは、子装置と、前記子装置と電力線を介して通信可能な親装置とを備え、前記親装置および前記子装置には、共通の初期認証情報が登録されており、前記子装置は、前記初期認証情報を含む接続要求を前記親装置へ送信し、前記親装置は、登録された前記初期認証情報、および前記子装置から受信した前記接続要求に含まれる前記初期認証情報を用いて前記子装置の仮の認証処理を行い、前記親装置は、前記仮の認証処理に成功した場合、ユーザの操作を受け付けて本認証情報を作成し、作成した前記本認証情報を前記子装置へ送信するとともに保持し、前記子装置は、前記親装置から受信した前記本認証情報を保持し、前記本認証情報を含む接続要求を前記親装置へ送信し、前記親装置は、保持した前記本認証情報、および前記子装置から受信した前記接続要求に含まれる前記本認証情報を用いて前記子装置の認証処理を行う。
【００２１】
このような構成により、ユーザの操作を経てから子装置の認証処理を進めることができるため、たとえば子装置の設置に誤りがあって通信接続すべきでない親装置に当該子装置が自動的に通信接続した場合において、ユーザが子装置の通信接続先となる親装置の是非を判断し、設置場所の変更等の適切な処置を行うことができる。また、子装置ごとの固有の認証情報を子装置および親装置に登録する必要がなくなり、認証情報の管理を簡単化することができる。したがって、簡単な構成でより安定したシステム運用を実現することができる。
【００２２】
（２）好ましくは、前記親装置は、前記操作を促す画面を表示する処理を行う。
【００２３】
このような構成により、ユーザが、仮の認証処理に成功して本認証を要求している子装置を容易に把握することができる。
【００２４】
（３）本発明の実施の形態に係る親装置は、１または複数の子装置と電力線を介して通信可能な親装置であって、前記子装置と前記電力線を介して通信する電力線通信部と、前記子装置が記憶する初期認証情報と同じ初期認証情報を記憶する記憶部と、処理部とを備え、前記処理部は、前記子装置から前記初期認証情報を含む接続要求を前記電力線通信部を介して受信し、前記記憶部における前記初期認証情報、および受信した前記接続要求に含まれる前記初期認証情報を用いて前記子装置の仮の認証処理を行い、前記処理部は、前記仮の認証処理に成功した場合、ユーザの操作を受け付けて本認証情報を作成し、作成した前記本認証情報を前記電力線通信部を介して前記子装置へ送信するとともに前記記憶部に保存し、前記処理部は、前記子装置から前記本認証情報を含む接続要求を前記電力線通信部を介して受信し、前記記憶部における前記本認証情報、および前記子装置から受信した接続要求に含まれる前記本認証情報を用いて前記子装置の認証処理を行う。
【００２５】
このような構成により、ユーザの操作を経てから子装置の認証処理を進めることができるため、たとえば子装置の設置に誤りがあって通信接続すべきでない親装置に当該子装置が自動的に通信接続した場合において、ユーザが子装置の通信接続先となる親装置の是非を判断し、設置場所の変更等の適切な処置を行うことができる。また、子装置ごとの固有の認証情報を子装置および親装置に登録する必要がなくなり、認証情報の管理を簡単化することができる。したがって、簡単な構成でより安定したシステム運用を実現することができる。
【００２６】
（４）本発明の実施の形態に係る子装置は、親装置と電力線を介して通信可能な子装置であって、前記親装置と前記電力線を介して通信する電力線通信部と、前記親装置が記憶する初期認証情報と同じ初期認証情報を記憶する記憶部と、処理部とを備え、前記処理部は、前記初期認証情報を含む接続要求を前記電力線通信部を介して前記親装置へ送信し、前記処理部は、前記電力線通信部を介して前記親装置から本認証情報を受信して前記記憶部に保存し、前記本認証情報を含む接続要求を前記電力線通信部を介して前記親装置へ送信する。
【００２７】
このような構成により、ユーザの操作を経てから子装置の認証処理を進めることができるため、たとえば子装置の設置に誤りがあって通信接続すべきでない親装置に当該子装置が自動的に通信接続した場合において、ユーザが子装置の通信接続先となる親装置の是非を判断し、設置場所の変更等の適切な処置を行うことができる。また、子装置ごとの固有の認証情報を子装置および親装置に登録する必要がなくなり、認証情報の管理を簡単化することができる。したがって、簡単な構成でより安定したシステム運用を実現することができる。
【００２８】
（５）本発明の実施の形態に係る認証方法は、子装置と、前記子装置と電力線を介して通信可能な親装置とを備える電力線通信システムにおける認証方法であって、前記親装置および前記子装置には、共通の初期認証情報が登録されており、前記子装置が、前記初期認証情報を含む接続要求を前記親装置へ送信するステップと、前記親装置が、登録された前記初期認証情報、および前記子装置から受信した前記接続要求に含まれる前記初期認証情報を用いて前記子装置の仮の認証処理を行うステップと、前記親装置が、前記仮の認証処理に成功した場合、ユーザの操作を受け付けて本認証情報を作成するステップと、前記親装置が、作成した前記本認証情報を前記子装置へ送信するとともに保持するステップと、前記子装置が、前記親装置から受信した前記本認証情報を保持するステップと、前記子装置が、前記本認証情報を含む接続要求を前記親装置へ送信するステップと、前記親装置が、保持した前記本認証情報、および前記子装置から受信した前記接続要求に含まれる前記本認証情報を用いて前記子装置の認証処理を行うステップとを含む。
【００２９】
このような構成により、ユーザの操作を経てから子装置の認証処理を進めることができるため、たとえば子装置の設置に誤りがあって通信接続すべきでない親装置に当該子装置が自動的に通信接続した場合において、ユーザが子装置の通信接続先となる親装置の是非を判断し、設置場所の変更等の適切な処置を行うことができる。また、子装置ごとの固有の認証情報を子装置および親装置に登録する必要がなくなり、認証情報の管理を簡単化することができる。したがって、簡単な構成でより安定したシステム運用を実現することができる。
【００３０】
（６）本発明の実施の形態に係る認証方法は、１または複数の子装置と電力線を介して通信可能な親装置における認証方法であって、前記親装置は、前記子装置が記憶する初期認証情報と同じ初期認証情報を記憶し、前記子装置から前記初期認証情報を含む接続要求を受信するステップと、記憶する前記初期認証情報、および受信した前記接続要求に含まれる前記初期認証情報を用いて前記子装置の仮の認証処理を行うステップと、前記仮の認証処理に成功した場合、ユーザの操作を受け付けて本認証情報を作成するステップと、作成した前記本認証情報を前記子装置へ送信するとともに保存するステップと、前記子装置から前記本認証情報を含む接続要求を受信するステップと、保存した前記本認証情報、および前記子装置から受信した接続要求に含まれる前記本認証情報を用いて前記子装置の認証処理を行うステップとを含む。
【００３１】
このような構成により、ユーザの操作を経てから子装置の認証処理を進めることができるため、たとえば子装置の設置に誤りがあって通信接続すべきでない親装置に当該子装置が自動的に通信接続した場合において、ユーザが子装置の通信接続先となる親装置の是非を判断し、設置場所の変更等の適切な処置を行うことができる。また、子装置ごとの固有の認証情報を子装置および親装置に登録する必要がなくなり、認証情報の管理を簡単化することができる。したがって、簡単な構成でより安定したシステム運用を実現することができる。
【００３２】
（７）本発明の実施の形態に係る認証方法は、親装置と電力線を介して通信可能な子装置における認証方法であって、前記子装置は、前記親装置が記憶する初期認証情報と同じ初期認証情報を記憶し、前記初期認証情報を含む接続要求を前記親装置へ送信するステップと、前記親装置から本認証情報を受信して保存するステップと、前記本認証情報を含む接続要求を前記親装置へ送信するステップとを含む。
【００３３】
このような構成により、ユーザの操作を経てから子装置の認証処理を進めることができるため、たとえば子装置の設置に誤りがあって通信接続すべきでない親装置に当該子装置が自動的に通信接続した場合において、ユーザが子装置の通信接続先となる親装置の是非を判断し、設置場所の変更等の適切な処置を行うことができる。また、子装置ごとの固有の認証情報を子装置および親装置に登録する必要がなくなり、認証情報の管理を簡単化することができる。したがって、簡単な構成でより安定したシステム運用を実現することができる。
【００３４】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３５】
［構成および基本動作］
図１は、本発明の実施の形態に係る電力線通信システムの構成を示す図である。
【００３６】
図１を参照して、電力線通信システム３０１は、複数のスマートメータ１０１と、複数のコンセントレータ１０２と、サーバ１０３とを備える。サーバ１０３は、たとえばヘッドエンドである。スマートメータ１０１は、電力情報取得装置の一例である。コンセントレータ１０２は、親装置の一例である。
【００３７】
なお、電力線通信システム３０１は、複数のスマートメータ１０１を備える構成に限らず、１つのスマートメータ１０１を備える構成であってもよい。また、電力線通信システム３０１は、１つのサーバ１０３を備える構成に限らず、複数のサーバ１０３を備える構成であってもよい。
【００３８】
電力線通信システム３０１は、たとえば集合住宅１５１において用いられる。各スマートメータ１０１は、電力線１６１を介してコンセントレータ１０２に接続されている。具体的には、電力線１６１は、たとえば、集合住宅１５１において上下階の縦方向に複数系統が配設されており、階ごとにスマートメータ１０１が接続されている。
【００３９】
スマートメータ１０１およびコンセントレータ１０２は、電力線１６１を介して通信可能である。スマートメータ１０１およびコンセントレータ１０２は、たとえば、電力線１６１を用いた電力線通信により、各種情報をやり取りする。
【００４０】
スマートメータ１０１は、電力線通信における子機であり、コンセントレータ１０２は、当該電力線通信における親機である。スマートメータ１０１は、子装置の一例であり、以下、スマートメータ１０１を、単に子装置１０１とも称する。コンセントレータ１０２は、親装置の一例であり、以下、コンセントレータ１０２を、単に親装置１０２とも称する。
【００４１】
子装置１０１は、通信機能付きの電力計量器である。子装置１０１は、計測対象とする家庭または事業所において消費される電力を示す電力情報をたとえば定期的に取得し、取得した電力情報を親装置１０２へ送信する。
【００４２】
また、子装置１０１は、他の子装置１０１を介して親装置１０２と通信することが可能である。すなわち、子装置１０１は、他の子装置１０１と親装置１０２との通信を中継する機能を有する。
【００４３】
具体的には、子装置１０１は、取得した電力情報を他の子装置１０１を介さずに親装置１０２へ直接送信する場合もあるし、また、取得した電力情報を１または複数の他の子装置１０１を介して親装置１０２へ送信する場合もある。
【００４４】
親装置１０２およびサーバ１０３は、有線通信または無線通信により、インターネット１０経由で各種情報をやり取りする。
【００４５】
親装置１０２は、各子装置１０１から電力情報を受信する。親装置１０２は、各子装置１０１から電力情報を受信し、受信した電力情報を集約してサーバ１０３へ送信するか、または受信した電力情報を個別にサーバ１０３へ送信する。
【００４６】
サーバ１０３は、たとえば電力料金情報を親装置１０２へ送信する。親装置１０２は、サーバ１０３から電力料金情報を受信すると、受信した電力料金情報を子装置１０１へ送信する。
【００４７】
子装置１０１は、親装置１０２から電力料金情報を受信すると、受信した電力料金情報をたとえば図示しないＨＥＭＳ（Ｈｏｍｅ  Ｅｎｅｒｇｙ  Ｍａｎａｇｅｍｅｎｔ  Ｓｙｓｔｅｍ）等の他の装置へ送信する。
【００４８】
親装置１０２および子装置１０１間の通信、ならびに各子装置１０１間の通信は、たとえばＧ３−ＰＬＣ  Ａｌｌｉａｎｃｅ、”Ｎａｒｒｏｗｂａｎｄ  ＯＦＤＭ  ＰＬＣ  ｓｐｅｃｉｆｉｃａｔｉｏｎｓ  ｆｏｒ  Ｇ３−ＰＬＣ  ｎｅｔｗｏｒｋｓ”、Ｇ３−ＰＬＣ  Ａｌｌｉａｎｃｅ、２０１４年１０月（非特許文献１）に記載のＧ３−ＰＬＣ規格に従って行われる。
【００４９】
また、たとえば、子装置１０１、親装置１０２およびサーバ１０３間で送受信される情報は、所定の方式に従い暗号化および復号化される。
【００５０】
図２は、本発明の実施の形態に係る電力線通信システムにおける各機器および配線状態の一例を示す図である。図２では、集合住宅１５１における２系統の電力線１６１Ａ，１６１Ｂを代表的に示す。
【００５１】
図２を参照して、電力系統１７１からたとえば６．６ｋＶの三相交流電力が集合住宅１５１に供給される。電力系統１７１からの交流電力は、たとえばトランス１０４Ａ，１０４Ｂにより２００Ｖの単相三線式の交流電力に変換されて各階に供給される。
【００５２】
親装置１０２である親装置１０２Ａ，１０２Ｂおよび複数の子装置１０１は、電力線１６１Ａまたは１６１Ｂ、およびトランス１０４Ａまたは１０４Ｂを介して電力系統１７１に接続されている。
【００５３】
より詳細には、電力線１６１Ａには、トランス１０４Ａ、および親装置１０２である親装置１０２Ａが接続されている。また、電力線１６１Ａには、たとえば、子装置１０１である５０台の子装置１０１Ａが接続されている。
【００５４】
電力線１６１Ｂには、トランス１０４Ｂ、および親装置１０２である親装置１０２Ｂが接続されている。また、電力線１６１Ｂには、たとえば、子装置１０１である５０台の子装置１０１Ｂが接続されている。
【００５５】
なお、電力線１６１Ａには、４９台以下または５１台以上の子装置１０１Ａが接続されてもよい。また、電力線１６１Ｂには、４９台以下または５１台以上の子装置１０１Ｂが接続されてもよい。また、電力線通信システム３０１は、親装置１０２Ａ，１０２Ｂを備える構成に限らず、３つ以上の親装置１０２を備える構成であってもよい。
【００５６】
以下、トランス１０４Ａ，１０４Ｂの各々を、トランス１０４とも称する。電力線１６１Ａ，１６１Ｂの各々を電力線１６１とも称する。
【００５７】
子装置１０１は、装置固有の識別子の一例として、たとえば、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）によって標準化された方式に従う、ＭＡＣ（Ｍｅｄｉａ  Ａｃｃｅｓｓ  Ｃｏｎｔｒｏｌ）アドレスに基づいて自動的に生成されたＥＵＩ−６４（６４−Ｂｉｔ  Ｅｘｔｅｎｄｅｄ  Ｕｎｉｑｕｅ  Ｉｄｅｎｔｉｆｉｅｒ）を有する。ＭＡＣアドレスおよびＥＵＩ−６４は、たとえば装置の製造時に設定される。
【００５８】
具体的には、５０台の子装置１０１Ａは、それぞれＥＵＩ−Ａ００１〜ＥＵＩ−Ａ０５０のＥＵＩ−６４を有する。５０台の子装置１０１Ｂは、それぞれＥＵＩ−Ｂ００１〜ＥＵＩ−Ｂ０５０のＥＵＩ−６４を有する。
【００５９】
［ネットワークトポロジ］
図３は、本発明の実施の形態に係る電力線通信システムにおけるネットワークトポロジの一例を示す図である。
【００６０】
図３を参照して、親装置１０２および子装置１０１は、たとえばＰＡＮ＿ＩＤ（Ｐｅｒｓｏｎａｌ  Ａｒｅａ  Ｎｅｔｗｏｒｋ  Ｉｄｅｎｔｉｆｉｃａｔｉｏｎ）を有する。各親装置１０２は、異なるＰＡＮ＿ＩＤを有する。
【００６１】
親装置１０２は、たとえば、１または複数の子装置１０１を管理し、管理対象の子装置１０１と認証情報および電力情報等のやり取りを行う。
【００６２】
子装置１０１は、同じ電力線１６１に接続される親装置１０２と通信可能であり、かつトランス１０４および電力線１６１を介して他の親装置１０２と通信可能である。
【００６３】
図４は、本発明の実施の形態に係る電力線通信システムにおける親装置の構成を示す図である。
【００６４】
図４を参照して、親装置１０２は、電力線通信部２１と、記憶部２４と、処理部２５と、受付部２６とを備える。電力線通信部２１は、子装置１０１と電力線１６１を介して通信する。
【００６５】
図５は、本発明の実施の形態に係る電力線通信システムにおける子装置の構成を示す図である。
【００６６】
図５を参照して、子装置１０１は、電力線通信部３１と、記憶部３４と、処理部３５とを備える。電力線通信部３１は、親装置１０２と電力線１６１を介して通信する。
【００６７】
図３〜図５を参照して、子装置１０１および電力情報の送信先となる親装置１０２は、通信接続を確立する。具体的には、たとえば、親装置１０２は、ＥＵＩ−Ａ００１のＥＵＩ−６４を有する子装置１０１Ａ（以下、子装置１０１Ａ−１とも称する。）が自己の管理下にない場合、子装置１０１Ａ−１と通信接続を確立するための認証処理を行う。
【００６８】
親装置１０２Ａおよび子装置１０１Ａ−１には、共通の初期認証情報が登録されている。
【００６９】
より詳細には、親装置１０２Ａおよび子装置１０１Ａ−１は、認証処理に用いる認証情報の一例として、事前共有鍵（ＰＳＫ：Ｐｒｅ  Ｓｈａｒｅｄ  Ｋｅｙ）を保持する。
【００７０】
具体的には、子装置１０１Ａ−１における記憶部３４は、たとえば、親装置１０２が記憶する初期認証情報と同じ初期認証情報としてＰＳＫ１を記憶する。また、親装置１０２Ａにおける記憶部２４は、子装置１０１Ａ−１が記憶する初期認証情報と同じ初期認証情報としてＰＳＫ１を記憶する。
【００７１】
子装置１０１Ａ−１は、自己が親装置１０２Ａの管理下にない場合、初期認証情報を含む接続要求Ｒ１を親装置１０２へ送信する。
【００７２】
より詳細には、子装置１０１Ａ−１における処理部３５は、初期認証情報を含む接続要求Ｒ１を電力線通信部３１および電力線１６１を介して親装置１０２へ送信する。
【００７３】
具体的には、子装置１０１Ａ−１における処理部３５は、初期認証情報としてＰＳＫ１を記憶部３４から取得し、取得したＰＳＫ１を含む接続要求Ｒ１を作成し、作成した接続要求Ｒ１を電力線通信部３１へ出力する。
【００７４】
電力線通信部３１は、処理部３５から受けた接続要求Ｒ１を電力線１６１を介して親装置１０２へ送信する。
【００７５】
親装置１０２は、子装置１０１Ａ−１から送信された接続要求Ｒ１を受信する。
【００７６】
より詳細には、親装置１０２における処理部２５は、初期認証情報としてＰＳＫ１を含む子装置１０１Ａ−１からの接続要求Ｒ１を、電力線１６１および電力線通信部２１を介して受信する。
【００７７】
具体的には、親装置１０２における電力線通信部２１は、子装置１０１Ａ−１から送信された接続要求Ｒ１を受信し、受信した接続要求Ｒ１を処理部２５へ出力する。
【００７８】
そして、親装置１０２は、自己に登録された初期認証情報、および子装置１０１Ａ−１から受信した接続要求Ｒ１に含まれる初期認証情報を用いて子装置１０１Ａ−１の認証処理１を行う。
【００７９】
より詳細には、処理部２５は、記憶部２４における初期認証情報であるＰＳＫ１、および受信した接続要求Ｒ１に含まれる初期認証情報であるＰＳＫ１を用いて子装置１０１−Ａの認証処理１を行う。
【００８０】
具体的には、処理部２５は、電力線通信部２１から受けた接続要求Ｒ１に含まれるＰＳＫ１を取得し、取得したＰＳＫ１と記憶部２４に保存されているＰＳＫ１とを照合する。
【００８１】
そして、処理部２５は、取得したＰＳＫ１と記憶部２４に保存されているＰＳＫ１とが一致する場合、子装置１０１Ａ−１の認証処理１に成功したと判断する。
【００８２】
一方、処理部２５は、取得したＰＳＫ１と記憶部２４に保存されているＰＳＫ１とが一致しない場合、認証失敗を示す失敗通知を電力線通信部２１および電力線１６１を介して子装置１０１Ａ−１へ送信する。
【００８３】
再び図３を参照して、ＥＵＩ−Ａ００２，ＥＵＩ−Ａ００３のＥＵＩ−６４を有する子装置１０１Ａ（以下、それぞれ子装置１０１Ａ−２，１０１Ａ−３とも称する。）は、親装置１０２の管理下にない場合、子装置１０１Ａ−１の保持する初期認証情報であるＰＳＫ１と同じＰＳＫ１を用いて、親装置１０２Ａと通信接続を確立するための認証処理１を行う。
【００８４】
また、ＥＵＩ−Ａ００４〜ＥＵＩ−Ａ０５０のＥＵＩ−６４を有する図示しない各子装置１０１ＡのＰＡＮ＿ＩＤは、「０００１」である。
【００８５】
ＥＵＩ−Ａ００４〜ＥＵＩ−Ａ０５０のＥＵＩ−６４を有する各子装置１０１Ａは、子装置１０１Ａ−１〜１０１Ａ−３と同様に、子装置１０１Ａ−１の保持する初期認証情報であるＰＳＫ１と同じＰＳＫ１を用いて、親装置１０２Ａと通信接続を確立するための認証処理１を行う。
【００８６】
親装置１０２Ａ、およびＥＵＩ−Ａ００１〜ＥＵＩ−Ａ０５０のＥＵＩ−６４を有する各子装置１０１Ａは、ＰＡ（Ｐｅｒｓｏｎａｌ  Ａｒｅａ）ネットワークＮＷＡを形成する。
【００８７】
同様に、親装置１０２Ｂは、ＥＵＩ−Ｂ００１〜ＥＵＩ−Ｂ０５０のＥＵＩ−６４を有する子装置１０１Ｂを管理する。親装置１０２Ｂ、および親装置１０２Ｂの管理下にある各子装置１０１ＢのＰＡＮ＿ＩＤは、たとえば「０００２」である。
【００８８】
親装置１０２Ｂ、およびＥＵＩ−Ｂ００１〜ＥＵＩ−Ｂ０５０のＥＵＩ−６４を有する子装置１０１Ｂは、ＰＡネットワークＮＷＢを形成する。
【００８９】
すなわち、親装置１０２および子装置１０１がどのＰＡネットワークに属しているかは、ＰＡＮ＿ＩＤに基づいて判別することが可能である。
【００９０】
［課題］
このような共通の初期認証情報を用いる電力線通信システムでは、初期認証情報が不正に入手された場合、不正な子装置が電力線通信システムに接続される可能性がある。
【００９１】
また、各子装置に固有の認証情報を設定した場合、親装置において多数の認証情報の管理を要するため、管理が複雑となる。また、子装置は、認証情報の入力を受け付ける機能を持たない場合も多く、子装置の設置後に固有の認証情報を設定することが困難である。
【００９２】
これに対して、本発明の実施の形態に係る電力線通信システムでは、以下のような構成および動作により、上記課題を解決する。
【００９３】
親装置１０２は、仮の認証処理として認証処理１を行い、仮の認証処理に成功した場合、ユーザの操作を受け付けて本認証情報を作成し、作成した本認証情報を子装置１０１へ送信するとともに保持する。
【００９４】
より詳細には、親装置１０２における処理部２５は、各子装置１０１からの接続要求Ｒ１に含まれるＰＳＫ１と記憶部２４に保存されているＰＳＫ１とが一致する場合、たとえば、操作を促す画面を、たとえば図示しない表示装置に表示する処理を行う。
【００９５】
図６は、本発明の実施の形態に係る電力線通信システムにおいて表示される、ユーザの操作を促す画面の一例を示す図である。
【００９６】
図６を参照して、画面上部の領域ｒ１には、仮の認証処理に成功した子装置１０１である子装置１０１Ａ−１および子装置１０１Ａ−２がそれぞれ有するＥＵＩ−６４であるＥＵＩ−Ａ００１およびＥＵＩ−Ａ００２と、各子装置１０１を認証するために押下するボタンＢ１とが表示される。
【００９７】
また、画面下部の領域ｒ２には、後述の認証処理２に成功した子装置１０１のＥＵＩ−６４が表示される。
【００９８】
ユーザは、たとえば、画面に表示されたＥＵＩ−Ａ００１が、正当な子装置１０１のＥＵＩ−６４であることを確認した場合、表示されたボタンＢ１を押下する操作を行う。
【００９９】
再び図４を参照して、受付部２６は、ユーザによる操作を受け付けると、当該操作を受け付けた旨の指示情報Ｓ１を処理部２５へ出力する。
【０１００】
処理部２５は、受付部２６から受けた指示情報Ｓ１に従い、たとえば、ユーザの操作を促す画面に、確認を求めるメッセージ等をさらに表示する処理を行う。
【０１０１】
図７は、本発明の実施の形態に係る電力線通信システムにおいて表示される、ユーザの操作を促す画面の他の例を示す図である。
【０１０２】
図７を参照して、画面中央には、ユーザに確認を求めるメッセージｍｓｇおよびユーザの操作を受け付けるボタンＢ２が表示される。
【０１０３】
ユーザは、画面に表示されたメッセージｍｓｇを確認して、ボタンＢ２を押下する操作を行う。
【０１０４】
再び図４を参照して、受付部２６は、ユーザによる操作を受け付けると、当該操作を受け付けた旨の指示情報Ｓ２を処理部２５へ出力する。
【０１０５】
処理部２５は、受付部２６から受けた指示情報Ｓ２に従い、本認証情報を作成する。より詳細には、処理部２５は、たとえば、ＰＳＫ１とは異なるＰＳＫ２−１を本認証情報として子装置１０１Ａ−１に付与する。
【０１０６】
また、処理部２５は、受付部２６から受けた指示情報Ｓ２に従い、領域ｒ１におけるＥＵＩ−Ａ００１の表示を消去する。
【０１０７】
また、処理部２５は、たとえば、子装置１０１Ａ−１と同様に、ユーザによる子装置１０１Ａ−２に対する操作に従って、ＰＳＫ１およびＰＳＫ２−１とは異なるＰＳＫ２−２を本認証情報として子装置１０１Ａ−２に付与する。
【０１０８】
処理部２５は、作成した本認証情報を記憶部２４に保存する。より詳細には、処理部２５は、たとえば、各ＥＵＩ−６４と本認証情報との対応関係を示す本認証情報テーブルを作成または更新して記憶部２４に保存する。
【０１０９】
図８は、本発明の実施の形態に係る電力線通信システムにおける親装置が保持する本認証情報テーブルの一例を示す図である。
【０１１０】
図８を参照して、ＥＵＩ−Ａ００１の子装置１０１Ａ−１に付与された本認証情報は、ＰＳＫ２−１である。ＥＵＩ−Ａ００２の子装置１０１Ａ−２に付与された本認証情報は、ＰＳＫ２−２である。ＥＵＩ−Ａ００３の子装置１０１Ａ−３に付与された本認証情報は、ＰＳＫ２−３である。以下、ＰＳＫ２−１、ＰＳＫ２−２およびＰＳＫ２−３の各々を、ＰＳＫ２とも称する。
【０１１１】
再び図４を参照して、処理部２５は、作成した本認証情報を電力線通信部２１および電力線１６１を介して対応の子装置１０１へ送信する。
【０１１２】
具体的には、処理部２５は、たとえば、本認証情報として各子装置１０１に付与したＰＳＫ２を含む仮認証応答を作成し、作成した仮認証応答を電力線通信部２１へ出力する。
【０１１３】
電力線通信部２１は、処理部２５から受けた仮認証応答を電力線１６１を介して対応の子装置１０１へ送信する。
【０１１４】
子装置１０１は、親装置１０２から受信した本認証情報を保持する。より詳細には、子装置１０１における処理部３５は、親装置１０２からの本認証情報を含む仮認証応答を電力線１６１および電力線通信部３１を介して受信し、受信した仮認証応答に含まれる本認証情報を取得して記憶部３４に保存する。
【０１１５】
記憶部３４は、たとえば、本認証情報を不揮発的に記憶する。これにより、子装置１０１は、たとえば、電源がオフされた場合でも本認証情報を記憶しておくことができるため、電源が再度オンされた場合において、認証処理１を省略することができる。
【０１１６】
具体的には、子装置１０１における電力線通信部３１は、たとえば、親装置１０２から送信された、本認証情報としてＰＳＫ２を含む仮認証応答を電力線１６１を介して受信し、受信した仮認証応答を処理部３５へ出力する。
【０１１７】
処理部３５は、電力線通信部３１から受けた仮認証応答に含まれるＰＳＫ２を取得し、取得したＰＳＫ２を記憶部３４に保存する。
【０１１８】
そして、子装置１０１は、本認証情報を含む接続要求Ｒ２を親装置１０２へ送信する。より詳細には、子装置１０１における処理部３５は、本認証情報を記憶部３４から取得し、取得した本認証情報を含む接続要求Ｒ２を電力線通信部３１および電力線１６１を介して親装置１０２へ送信する。
【０１１９】
具体的には、子装置１０１における処理部３５は、たとえば、本認証情報としてＰＳＫ２を記憶部３４から取得し、取得したＰＳＫ２、および自己のＥＵＩ−６４を含む接続要求Ｒ２を作成して電力線通信部３１へ出力する。
【０１２０】
電力線通信部３１は、処理部３５から受けた接続要求Ｒ２を電力線１６１を介して親装置１０２へ送信する。
【０１２１】
親装置１０２は、子装置１０１から送信された接続要求Ｒ２を受信する。
【０１２２】
より詳細には、親装置１０２における処理部２５は、たとえば、本認証情報としてＰＳＫ２を含む子装置１０１からの接続要求Ｒ２を電力線１６１および電力線通信部２１を介して受信する。
【０１２３】
具体的には、親装置１０２における電力線通信部２１は、子装置１０１から送信された接続要求Ｒ２を受信し、受信した接続要求Ｒ２を処理部２５へ出力する。
【０１２４】
そして、親装置１０２は、保持した本認証情報、および子装置１０１から受信した接続要求Ｒ２に含まれる本認証情報を用いて子装置１０１の認証処理を行う。以下、本認証情報を用いた認証処理を認証処理２とも称する。
【０１２５】
より詳細には、処理部２５は、記憶部２４における本認証情報、および受信した接続要求Ｒ２に含まれる本認証情報を用いて子装置１０１の認証処理２を行う。
【０１２６】
具体的には、処理部２５は、電力線通信部２１から受けた接続要求Ｒ２に含まれるＥＵＩ−６４およびＰＳＫ２を取得し、記憶部２４に保存されている本認証情報テーブルを参照することにより、取得したＥＵＩ−６４およびＰＳＫ２の組と、本認証情報テーブルにおけるＥＵＩ−６４およびＰＳＫ２の組とを照合する。
【０１２７】
そして、処理部２５は、取得したＥＵＩ−６４およびＰＳＫ２の組と本認証情報テーブルに示すＥＵＩ−６４およびＰＳＫ２の組とが一致する場合、当該ＥＵＩ−６４に対応する子装置１０１の認証成功を示す本認証応答を電力線通信部２１および電力線１６１を介して当該子装置１０１へ送信する。
【０１２８】
また、処理部２５は、取得したＰＳＫ２およびＥＵＩ−６４の組と本認証情報テーブルに示すＰＳＫ２およびＥＵＩ−６４の組とが一致しない場合、認証失敗を示す失敗通知を電力線通信部２１および電力線１６１を介して当該子装置１０１へ送信する。
【０１２９】
また、処理部２５は、たとえば、認証処理２に成功した子装置１０１Ａ−１および子装置１０１Ａ−２の各々に対応するＥＵＩ−６４を図６に示す画面の領域ｒ２に表示する。
【０１３０】
認証処理２に成功した子装置１０１Ａ−１および子装置１０１Ａ−２は、たとえば３０分ごとに電力情報等を親装置１０２Ａへ送信する。
【０１３１】
［動作の流れ］
電力線通信システム３０１における各装置は、メモリを含むコンピュータを備え、当該コンピュータにおけるＣＰＵ等の演算処理部は、以下のシーケンス図またはフローチャートの各ステップの一部または全部を含むプログラムを当該メモリからそれぞれ読み出して実行する。これら複数の装置のプログラムは、それぞれ、外部からインストールすることができる。これら複数の装置のプログラムは、それぞれ、記録媒体に格納された状態で流通する。
【０１３２】
図９は、本発明の実施の形態に係る電力線通信システムにおける認証処理１および認証処理２のシーケンスを示す図である。図９は、１つの親装置１０２および１つの子装置１０１の動作を代表的に示す。
【０１３３】
図９を参照して、まず、子装置１０１は、初期認証情報としてＰＳＫ１を含む接続要求Ｒ１を親装置１０２へ送信する（ステップＳ１０１）。
【０１３４】
次に、親装置１０２は、子装置１０１から送信された接続要求Ｒ１を受信し、受信した接続要求Ｒ１に含まれるＰＳＫ１を取得する（ステップＳ１０２）。
【０１３５】
次に、親装置１０２は、取得したＰＳＫ１、および自己に登録された初期認証情報を用いて子装置１０１の仮の認証処理を行う（ステップＳ１０３）。
【０１３６】
次に、親装置１０２は、取得したＰＳＫ１と自己に登録された初期認証情報とが一致している場合、すなわち仮の認証処理に成功した場合（ステップＳ１０４）、たとえばユーザの操作を促す画面を表示する（ステップＳ１０５）。
【０１３７】
次に、親装置１０２は、たとえば、ユーザの操作を受け付けて本認証情報としてＰＳＫ２を作成する（ステップＳ１０６）。
【０１３８】
次に、親装置１０２は、作成したＰＳＫ２を含む仮認証応答を作成し、作成した仮認証応答を子装置１０１へ送信するとともに（ステップＳ１０７）、作成したＰＳＫ２を保持する（ステップＳ１０８）。
【０１３９】
次に、子装置１０１は、親装置１０２から送信された仮認証応答を受信し、受信した仮認証応答に含まれるＰＳＫ２を保持する（ステップＳ１０９）。
【０１４０】
次に、子装置１０１は、保持したＰＳＫ２を含む接続要求Ｒ２を親装置１０２へ送信する（ステップＳ１１０）。
【０１４１】
次に、親装置１０２は、子装置１０１から送信された接続要求Ｒ２を受信し、受信した接続要求Ｒ２に含まれるＰＳＫ２を取得する（ステップＳ１１１）。
【０１４２】
次に、親装置１０２は、取得したＰＳＫ２、および保持した本認証情報を用いて子装置１０１の認証処理２を行う（ステップＳ１１２）。
【０１４３】
次に、親装置１０２は、認証処理２に成功した場合（ステップＳ１１３）、認証成功を示す認証応答を子装置１０１へ送信する（ステップＳ１１４）。
【０１４４】
次に、子装置１０１は、親装置１０２から送信された認証応答を受信した後、たとえば３０分ごとに電力情報を親装置１０２へ送信する（ステップＳ１１５）。
【０１４５】
図１０は、本発明の実施の形態に係る電力線通信システムにおける親装置が認証処理１および認証処理２を行う際の動作手順を定めたフローチャートである。
【０１４６】
図１０を参照して、まず、親装置１０２における処理部２５は、子装置１０１から初期認証情報としてＰＳＫ１を含む接続要求Ｒ１を電力線通信部２１を介して受信し、受信した接続要求Ｒ１に含まれるＰＳＫ１を取得する（ステップＳ２０１）。
【０１４７】
次に、処理部２５は、取得したＰＳＫ１、および記憶部２４における初期認証情報を用いて子装置１０１の仮の認証処理を行う（ステップＳ２０２）。
【０１４８】
処理部２５は、取得したＰＳＫ１と記憶部２４における初期認証情報とが不一致である場合（ステップＳ２０２でＮＯ）、認証失敗を示す失敗通知を電力線通信部２１を介して子装置１０１へ送信する（ステップＳ２１０）。
【０１４９】
一方、処理部２５は、取得したＰＳＫ１と記憶部２４における初期認証情報とが一致している場合、すなわち仮の認証処理に成功した場合（ステップＳ２０２でＹＥＳ）、たとえばユーザの操作を促す画面を表示し（ステップＳ２０３）、ユーザの操作を待ち受ける（ステップＳ２０４）。
【０１５０】
次に、処理部２５は、ユーザの操作を受け付けた場合（ステップＳ２０４でＹＥＳ）、本認証情報としてＰＳＫ２を作成する（ステップＳ２０５）。
【０１５１】
次に、処理部２５は、作成したＰＳＫ２を含む仮認証応答を作成し、作成した仮認証応答を電力線通信部２１を介して子装置１０１へ送信するとともに、作成したＰＳＫ２を記憶部２４に保存し（ステップＳ２０６）、子装置１０１からの接続要求Ｒ２を待ち受ける（ステップＳ２０７）。
【０１５２】
次に、処理部２５は、子装置１０１から本認証情報としてＰＳＫ２を含む接続要求Ｒ２を電力線通信部２１を介して受信した場合（ステップＳ２０７でＹＥＳ）、記憶部２４におけるＰＳＫ２、および子装置１０１から受信した接続要求Ｒ２に含まれるＰＳＫ２を用いて子装置１０１の認証処理２を行う（ステップＳ２０８）。
【０１５３】
処理部２５は、取得したＰＳＫ２と記憶部２４における本認証情報とが一致している場合、すなわち認証処理２に成功した場合（ステップＳ２０８でＹＥＳ）、認証成功を示す認証応答を電力線通信部２１を介して子装置１０１へ送信する（ステップＳ２０９）。
【０１５４】
一方、処理部２５は、取得したＰＳＫ２と記憶部２４における本認証情報とが不一致である場合（ステップＳ２０８でＮＯ）、認証失敗を示す失敗通知を電力線通信部２１を介して子装置１０１へ送信する（ステップＳ２１０）。
【０１５５】
図１１は、本発明の実施の形態に係る電力線通信システムの認証処理１および認証処理２における、子装置の動作手順を定めたフローチャートである。
【０１５６】
図１１を参照して、まず、子装置１０１における処理部３５は、初期認証情報としてＰＳＫ１を含む接続要求Ｒ１を電力線通信部３１を介して親装置１０２へ送信し（ステップＳ３０１）、親装置１０２からの仮認証応答を待ち受ける（ステップＳ３０２）。
【０１５７】
次に、処理部３５は、電力線通信部３１を介して親装置１０２から本認証情報としてＰＳＫ２を含む仮認証応答を受信した場合（ステップＳ３０２でＹＥＳ）、受信した仮認証応答に含まれるＰＳＫ２を取得して記憶部３４に保存する（ステップＳ３０３）。
【０１５８】
次に、処理部３５は、記憶部３４に保存したＰＳＫ２を取得し、取得したＰＳＫ２を含む接続要求Ｒ２を電力線通信部３１を介して親装置１０２へ送信し（ステップＳ３０４）、親装置１０２からの本認証応答を待ち受ける（ステップＳ３０５）。
【０１５９】
処理部３５は、電力線通信部３１を介して親装置１０２から本認証応答を受信した場合（ステップＳ３０５でＹＥＳ）、電力情報を電力線通信部３１を介して親装置１０２へ送信する（ステップＳ３０６）。
【０１６０】
一方、処理部３５は、親装置１０２から失敗通知を受信した場合、または、接続要求Ｒ２を送信してから所定時間が経過しても本認証応答および失敗通知のいずれも受信できない場合（ステップＳ３０５でＮＯ）、たとえば、認証処理の失敗をユーザに通知する（ステップＳ３０７）。
【０１６１】
なお、本発明の実施の形態に係る電力線通信システムにおける親装置１０２では、処理部２５は、ユーザの操作を促す画面を表示する構成であるとしたが、これに限定するものではない。処理部２５は、ユーザの操作を促す画面を表示せず、たとえばデジタル署名を用いて、接続要求Ｒ１の送信元の子装置１０１が認証可能な子装置１０１であるか否かを判断し、本認証情報を当該子装置１０１に付与して送信するとともに、記憶部２４に保持する構成であってもよい。
【０１６２】
ところで、電力情報通信システムにおいて、セキュリティ性が高く、かつ簡単な認証処理を実現することが望まれる。
【０１６３】
そこで、本発明の実施の形態に係る電力線通信システムでは、親装置１０２および子装置１０１には、共通の初期認証情報が登録されている。子装置１０１は、初期認証情報を含む接続要求Ｒ１を親装置１０２へ送信する。親装置１０２は、登録された初期認証情報、および子装置１０１から受信した接続要求Ｒ１に含まれる初期認証情報を用いて子装置１０１の仮の認証処理を行う。親装置１０２は、仮の認証処理に成功した場合、ユーザの操作を受け付けて本認証情報を作成し、作成した本認証情報を子装置１０１へ送信するとともに保持する。子装置１０１は、親装置１０２から受信した本認証情報を保持し、本認証情報を含む接続要求Ｒ２を親装置１０２へ送信する。親装置１０２は、保持した本認証情報、および子装置１０１から受信した接続要求Ｒ２に含まれる本認証情報を用いて子装置１０１の認証処理を行う。
【０１６４】
このような構成により、ユーザの操作を経てから子装置１０１の認証処理を進めることができるため、たとえば子装置１０１の設置に誤りがあって通信接続すべきでない親装置１０２に当該子装置１０１が自動的に通信接続した場合において、ユーザが子装置１０１の通信接続先となる親装置１０２の是非を判断し、設置場所の変更等の適切な処置を行うことができる。また、子装置１０１ごとの固有の認証情報を子装置１０１および親装置１０２に登録する必要がなくなり、認証情報の管理を簡単化することができる。
【０１６５】
したがって、本発明の実施の形態に係る電力線通信システムでは、簡単な構成でより安定したシステム運用を実現することができる。
【０１６６】
また、本発明の実施の形態に係る電力線通信システムでは、親装置１０２は、操作を促す画面を表示する処理を行う。
【０１６７】
このような構成により、ユーザが、仮の認証処理に成功して本認証を要求している子装置１０１を容易に把握することができる。
【０１６８】
また、本発明の実施の形態に係る親装置では、電力線通信部２１は、子装置１０１と電力線１６１を介して通信する。記憶部２４は、子装置１０１が記憶する初期認証情報と同じ初期認証情報を記憶する。処理部２５は、子装置１０１から初期認証情報を含む接続要求Ｒ１を電力線通信部２１を介して受信し、記憶部２４における初期認証情報、および受信した接続要求Ｒ１に含まれる初期認証情報を用いて子装置１０１の仮の認証処理を行う。処理部２５は、仮の認証処理に成功した場合、ユーザの操作を受け付けて本認証情報を作成し、作成した本認証情報を電力線通信部２１を介して子装置１０１へ送信するとともに記憶部２４に保存する。処理部２５は、子装置１０１から本認証情報を含む接続要求Ｒ２を電力線通信部２１を介して受信し、記憶部２４における本認証情報、および子装置１０１から受信した接続要求Ｒ２に含まれる本認証情報を用いて子装置１０１の認証処理を行う。
【０１６９】
このような構成により、ユーザの操作を経てから子装置１０１の認証処理を進めることができるため、たとえば子装置１０１の設置に誤りがあって通信接続すべきでない親装置１０２に当該子装置１０１が自動的に通信接続した場合において、ユーザが子装置１０１の通信接続先となる親装置１０２の是非を判断し、設置場所の変更等の適切な処置を行うことができる。また、子装置１０１ごとの固有の認証情報を子装置１０１および親装置１０２に登録する必要がなくなり、認証情報の管理を簡単化することができる。
【０１７０】
したがって、本発明の実施の形態に係る親装置では、簡単な構成でより安定したシステム運用を実現することができる。
【０１７１】
また、本発明の実施の形態に係る子装置では、電力線通信部３１は、親装置１０２と電力線１６１を介して通信する。記憶部３４は、親装置１０２が記憶する初期認証情報と同じ初期認証情報を記憶する。処理部３５は、初期認証情報を含む接続要求Ｒ１を電力線通信部３１を介して親装置１０２へ送信する。処理部３５は、電力線通信部３１を介して親装置１０２から本認証情報を受信して記憶部３４に保存し、本認証情報を含む接続要求Ｒ２を電力線通信部３１を介して親装置１０２へ送信する。
【０１７２】
このような構成により、ユーザの操作を経てから子装置１０１の認証処理を進めることができるため、たとえば子装置１０１の設置に誤りがあって通信接続すべきでない親装置１０２に当該子装置１０１が自動的に通信接続した場合において、ユーザが子装置１０１の通信接続先となる親装置１０２の是非を判断し、設置場所の変更等の適切な処置を行うことができる。また、子装置１０１ごとの固有の認証情報を子装置１０１および親装置１０２に登録する必要がなくなり、認証情報の管理を簡単化することができる。
【０１７３】
したがって、本発明の実施の形態に係る子装置では、簡単な構成でより安定したシステム運用を実現することができる。
【０１７４】
また、本発明の実施の形態に係る電力線通信システムにおける認証方法では、まず、子装置１０１が、初期認証情報を含む接続要求Ｒ１を親装置１０２へ送信する。次に、親装置１０２が、登録された初期認証情報、および子装置１０１から受信した接続要求Ｒ１に含まれる初期認証情報を用いて子装置１０１の仮の認証処理を行う。次に、親装置１０２が、仮の認証処理に成功した場合、ユーザの操作を受け付けて本認証情報を作成する。次に、親装置１０２が、作成した本認証情報を子装置１０１へ送信するとともに保持する。次に、子装置１０１が、親装置１０２から受信した本認証情報を保持する。次に、子装置１０１が、本認証情報を含む接続要求Ｒ２を親装置１０２へ送信する。次に、親装置１０２が、保持した本認証情報、および子装置から受信した接続要求Ｒ２に含まれる本認証情報を用いて子装置１０１の認証処理を行う。
【０１７５】
このような構成により、ユーザの操作を経てから子装置１０１の認証処理を進めることができるため、たとえば子装置１０１の設置に誤りがあって通信接続すべきでない親装置１０２に当該子装置１０１が自動的に通信接続した場合において、ユーザが子装置１０１の通信接続先となる親装置１０２の是非を判断し、設置場所の変更等の適切な処置を行うことができる。また、子装置１０１ごとの固有の認証情報を子装置１０１および親装置１０２に登録する必要がなくなり、認証情報の管理を簡単化することができる。
【０１７６】
したがって、本発明の実施の形態に係る電力線通信システムにおける認証方法では、簡単な構成でより安定したシステム運用を実現することができる。
【０１７７】
また、本発明の実施の形態に係る親装置における認証方法では、まず、子装置１０１から初期認証情報を含む接続要求Ｒ１を受信する。次に、記憶する初期認証情報、および受信した接続要求Ｒ１に含まれる初期認証情報を用いて子装置１０１の仮の認証処理を行う。次に、仮の認証処理に成功した場合、ユーザの操作を受け付けて本認証情報を作成する。次に、作成した本認証情報を子装置１０１へ送信するとともに保存する。次に、子装置１０１から本認証情報を含む接続要求Ｒ２を受信する。次に、保存した本認証情報、および子装置１０１から受信した接続要求Ｒ２に含まれる本認証情報を用いて子装置１０１の認証処理を行う。
【０１７８】
このような構成により、ユーザの操作を経てから子装置１０１の認証処理を進めることができるため、たとえば子装置１０１の設置に誤りがあって通信接続すべきでない親装置１０２に当該子装置１０１が自動的に通信接続した場合において、ユーザが子装置１０１の通信接続先となる親装置１０２の是非を判断し、設置場所の変更等の適切な処置を行うことができる。また、子装置１０１ごとの固有の認証情報を子装置１０１および親装置１０２に登録する必要がなくなり、認証情報の管理を簡単化することができる。
【０１７９】
したがって、本発明の実施の形態に係る親装置における認証方法では、簡単な構成でより安定したシステム運用を実現することができる。
【０１８０】
また、本発明の実施の形態に係る子装置における認証方法では、まず、初期認証情報を含む接続要求Ｒ１を親装置１０２へ送信する。次に、親装置１０２から本認証情報を受信して保存する。次に、本認証情報を含む接続要求Ｒ１を親装置１０２へ送信する。
【０１８１】
このような構成により、ユーザの操作を経てから子装置１０１の認証処理を進めることができるため、たとえば子装置１０１の設置に誤りがあって通信接続すべきでない親装置１０２に当該子装置１０１が自動的に通信接続した場合において、ユーザが子装置１０１の通信接続先となる親装置１０２の是非を判断し、設置場所の変更等の適切な処置を行うことができる。また、子装置１０１ごとの固有の認証情報を子装置１０１および親装置１０２に登録する必要がなくなり、認証情報の管理を簡単化することができる。
【０１８２】
したがって、本発明の実施の形態に係る子装置における認証方法では、簡単な構成でより安定したシステム運用を実現することができる。
【０１８３】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１８４】
以上の説明は、以下に付記する特徴を含む。
［付記１］
子装置と、
前記子装置と電力線を介して通信可能な親装置とを備え、
前記親装置および前記子装置には、共通の初期認証情報が登録されており、
前記子装置は、前記初期認証情報を含む接続要求を前記親装置へ送信し、
前記親装置は、登録された前記初期認証情報、および前記子装置から受信した前記接続要求に含まれる前記初期認証情報を用いて前記子装置の仮の認証処理を行い、
前記親装置は、前記仮の認証処理に成功した場合、ユーザの操作を受け付けて本認証情報を作成し、作成した前記本認証情報を前記子装置へ送信するとともに保持し、
前記子装置は、前記親装置から受信した前記本認証情報を保持し、前記本認証情報を含む接続要求を前記親装置へ送信し、
前記親装置は、保持した前記本認証情報、および前記子装置から受信した前記接続要求に含まれる前記本認証情報を用いて前記子装置の認証処理を行い、
前記子装置は、前記親装置から受信した前記認証情報を不揮発的に記憶し、
前記親装置および前記子装置は、前記電力線およびトランスを介して電力系統に接続され、
前記子装置は、同じ前記電力線に接続される前記親装置と通信可能であり、かつ前記トランスおよび前記電力線を介して他の前記親装置と通信可能である、電力線通信システム。
【０１８５】
［付記２］
１または複数の子装置と電力線を介して通信可能な親装置であって、
前記子装置と前記電力線を介して通信する電力線通信部と、
前記子装置が記憶する初期認証情報と同じ初期認証情報を記憶する記憶部と、
処理部とを備え、
前記処理部は、前記子装置から前記初期認証情報を含む接続要求を前記電力線通信部を介して受信し、前記記憶部における前記初期認証情報、および受信した前記接続要求に含まれる前記初期認証情報を用いて前記子装置の仮の認証処理を行い、
前記処理部は、前記仮の認証処理に成功した場合、ユーザの操作を受け付けて本認証情報を作成し、作成した前記本認証情報を前記電力線通信部を介して前記子装置へ送信するとともに前記記憶部に保存し、
前記処理部は、前記子装置から前記本認証情報を含む接続要求を前記電力線通信部を介して受信し、前記記憶部における前記本認証情報、および前記子装置から受信した接続要求に含まれる前記本認証情報を用いて前記子装置の認証処理を行い、
前記子装置は、前記親装置から受信した前記認証情報を不揮発的に記憶し、
前記親装置および前記子装置は、前記電力線およびトランスを介して電力系統に接続され、
前記子装置は、同じ前記電力線に接続される前記親装置と通信可能であり、かつ前記トランスおよび前記電力線を介して他の前記親装置と通信可能である、親装置。
【０１８６】
［付記３］
親装置と電力線を介して通信可能な子装置であって、
前記親装置と前記電力線を介して通信する電力線通信部と、
前記親装置が記憶する初期認証情報と同じ初期認証情報を記憶する記憶部と、
処理部とを備え、
前記処理部は、前記初期認証情報を含む接続要求を前記電力線通信部を介して前記親装置へ送信し、
前記処理部は、前記電力線通信部を介して前記親装置から本認証情報を受信して前記記憶部に保存し、前記本認証情報を含む接続要求を前記電力線通信部を介して前記親装置へ送信し、
前記記憶部は、前記親装置から受信した前記認証情報を不揮発的に記憶し、
前記親装置および前記子装置は、前記電力線およびトランスを介して電力系統に接続され、
前記子装置は、同じ前記電力線に接続される前記親装置と通信可能であり、かつ前記トランスおよび前記電力線を介して他の前記親装置と通信可能である、子装置。
【符号の説明】
【０１８７】
１０  インターネット
２１，３１  電力線通信部
２４，３４  記憶部
２５，３５  処理部
２６  受付部
１０１  子装置
１０２  親装置
１０３  サーバ
１０４  トランス
１５１  集合住宅
１６１  電力線
１７１  電力系統
３０１  電力線通信システム
【図１】
2020047108.tif 000003
【図２】
2020047108.tif 000004
【図３】
2020047108.tif 000005
【図４】
2020047108.tif 000006
【図５】
2020047108.tif 000007
【図６】
2020047108.tif 000008
【図７】
2020047108.tif 000009
【図８】
2020047108.tif 000010
【図９】
2020047108.tif 000011
【図１０】
2020047108.tif 000012
【図１１】
2020047108.tif 000013